(57)【特許請求の範囲】
【請求項１】
帯状部材(1a)の両端部(11)，(11)から外周方向に向かって突出する締め付け用フランジ(12)，(12)を備えた継手本体(1)と、該継手本体(1)と接続しようとする２本の管体との間に介在される水密用パッキング(2)と、前記フランジ(12)，(12)に形成されたボルト穴(13)，(13)を介して締め付ける締め付け用ボルト(3)及びナット(4)を備え、継手本体(1)における前記両フランジ(12)，(12)の何れか一方または両方が、前記ボルト穴(13)の外側位置に、使用時にフランジ(12)，(12)どうしが互いに対向する方向に向かって突出する突出体(14)を備え、使用時において、その先端部分が対向するフランジとの間で突出体が先行して接当し、この接当部分を支点として以後の締め付け力が帯状部材側に集中的にかかるようにした構成とされている管継手。
【請求項２】
継手本体（１）の何れか一方の遊端部（１１）が、他方の遊端部（１１）の内周面側に向かって突出する重ね部（１５）を備えているものである請求項１に記載の管継手。
【請求項３】
継手本体（１）が単一体であって、環状に形成されて円周方向の１箇所で連結されるものである請求項１または２に記載の管継手。
【請求項４】
継手本体（１）が二分割体であって、環状に対向配置されて円周方向の２箇所で連結されるものである請求項１または２に記載の管継手。
【請求項５】
継手本体（１）が、その内面に予め固着された水密用パッキング（２）を備えているものである請求項１乃至４の何れかに記載の管継手。
【発明の詳細な説明】
【０００１】
【発明の属する技術分野】
本発明は、２本の管体どうしの接続、例えば外周面が凹凸波形状に形成されている合成樹脂製コルゲート管どうしを水密状に接続するのに適した管継手に関するものである。
【０００２】
【従来の技術】
従来からこの種の管継手には、多種多様のものが製造され使用されている。これらの内、代表的な管継手を図１１及び図１２に示した。図１１に示した管継手は、継手本体１における広幅の帯状部材１ａを当初から半円弧状に成形してあるもの、図１２に示した管継手は、継手本体１における帯状部材１ａを柔軟性を備えた素材で偏平状に成形したものである。
【０００３】
而して、例えば、前者の継手本体１は、半割り円弧状とした上下二つの部材からなり、それぞれの両端部１１，１１に、外周方向に向かって突出する締め付け用フランジ１２，１２を備えたアングル状金具が一体的に連結され、このフランジ１２，１２には、幅方向の複数箇所にボルト穴１３が形成されている構造としてある。このような構造とした継手本体１と、連結する管体の外周に巻き付ける水密用パッキング２と、前記のフランジ１２，１２を締め付ける複数組のボルト３及びナット４からなっている。後者の継手本体１は、使用時に管体に沿わせて円弧状にして使用する。その他の点は、前者と同様である。
【０００４】
このような構造とした管継手を使用するには、接続しようとする２本の管端どうしを接当させ、その両外周面を包むようにして水密用パッキング２を巻き付け、その外周部に前記二つの半割り状とした継手本体１，１を対向させて上下に配置し、締め付け用ボルト３を、それぞれの対向するフランジ１２，１２に形成されたボルト穴１３，１３に貫通させて締め付け用ナット４とで締め付けて固定する。
【０００５】
【発明が解決しようとする課題】
しかしながら、該図１１，１２に示したように、これら従来の管継手にあっては、それぞれ対向するフランジ１２，１２どうしをボルト３とナット４によって締め付けると、帯状部材１ａの引っ張り抵抗によってフランジ１２，１２の外側部分が次第に締め付け方向に傾斜し、図のようにフランジの外端どうしが先行して接当し、それ以上の締め付け作業を行っても、フランジ１２，１２どうしの基端部側どうしを近接させることは甚だ困難であった。殊に、この場合において、図示のように、フランジ１２，１２を構成するアングル形金具の帯状部材１ａに固着した先端側部分がフランジの傾斜に伴って跳ね上がる姿勢となり、継手本体１とパッキング２との間に隙間ｓ，ｓが生じ易いものとなっていた。この現象によって、隙間ｓ，ｓが生じた部分のパッキング２が締め付け圧を受けないため、この部分の水密状態の維持が困難で、往々にして漏水や外部からの浸水の原因となっていた。
【０００６】
そこで、本発明は、このような従来の管継手が有していた課題を解決することを目的とし、何等特段の操作を必要とすることなく、前記従来の管継手と同様に取り扱うことができるものでありながら、管体に巻き付けたパッキング２を隙間が生じることのないように全外周に亙って圧接させることができ、延いては、漏水や浸水の生じることのない管継手をここに提供しようとするものである。
【０００７】
【課題を解決するための手段】
該目的を達成するための本発明の構成を、実施例説明に使用した符号を用いて説明すると、本発明にいう管継手の構成は、帯状部材１ａの両端部１１，１１から外周方向に向かって突出する締め付け用フランジ１２，１２を備えた継手本体１と、該継手本体１と接続しようとする２本の管体との間に介在される水密用パッキング２と、前記フランジ１２，１２に形成されたボルト穴１３，１３を介して締め付ける締め付け用ボルト３及びナット４を備え、継手本体１における前記両フランジ１２，１２の何れか一方または両方が、前記ボルト穴１３の外側位置に、使用時にフランジ１２，１２どうしが互いに対向する方向に突出する突出体１４を備え、使用時において、その先端部分が対向するフランジとの間で突出体が先行して接当し、この接当部分を支点として以後の締め付け力が帯状部材側に集中的にかかるようにしている構成としたものである。
【０００８】
【発明の実施の形態】
このようにした管継手を実施するに当たっては、前記継手本体１における何れか一方の遊端部１１が、他方の遊端部１１の内周面側に向かって突出する重ね部１５を備えているものとしたり、前記継手本体１が単一体であって、環状に形成されて円周方向の１箇所で連結されるものとして実施したり、前記継手本体１を二分割体として、環状に対向配置させて円周方向の２箇所で連結されるものとして実施することができる。また、継手本体１を、その内面に予め水密用パッキング２を固着させてあるものとしたり、水密用パッキング２の一端部分を係止させてある構造のものとして実施することができる。
【０００９】
本発明にいう継手本体１の素材は、特に限定されるものではないが、鉄板と鉄アングルとを溶接して一体的に形成したものの外、例えばポリエチレン，ポリプロピレンやポリ塩化ビニール等の熱可塑性合成樹脂素材や、樹脂素材をガラス繊維で強化させたＦＲＰ等であって、経時劣化しにくく、引っ張り耐力に優れた素材が好ましい。
【００１０】
また、継手本体１の実施に当たっては、前記構成要件中にいうところの、帯状部材１ａとフランジ１２と突出体１４とを、それぞれ別体として形成し、それぞれを、ビス止め・リベット止め・溶着・接着剤使用等適宜の固着手段によって固着させたり、帯状部材１ａとフランジ１２とを一体的に形成し、突出体１４を固着させたり、例えば、従来構造の管継手に対して突出体１４を固着させたり、逆に、フランジ１２と突出体１４とを一体的に形成したものを帯状部材１ａに対して固着させたり、更には、これらの全体を一体的に形成したものとして実施することができる。
【００１１】
【実施例】
以下本発明の実施例について図面に基づいて説明する。図１乃至図６は本発明にいう管継手の第１実施例について示した図である。図１は全体形状を示す斜視図、図２及び図３は管体に対して取り付けた状態を示す側面形状と正面形状を示したものである。また、図４及び図５は、継手本体を説明するための平面図と正面図。図６は、図５の中間部分を切断して両端部分を拡大して示した説明図である。
【００１２】
該実施例に示した継手本体１は、上下二つ割り状とした半割り体であって、図４乃至図６に殊に明らかに示したように、長方形状とした薄肉シート状の帯状部材１ａの両端部１１，１１に、側面視Ｌ字形に形成したアングルプレートａの一方の平面を連結し、そのＬ字形に立ち上がったフランジの背面側に別の補強プレートｂを連結して締め付け用フランジ１２，１２を備え、該継手本体１のフランジ１２，１２の高さ方向の略中間部分には、締め付け用のボルト挿通用穴１３…が、該実施例のものではその長手方向４箇所に形成してある。また、それぞれのフランジ１２，１２の外向きの面の頂上部分、即ち、使用時におけるボルト穴１３の外側位置で、使用時にフランジ１２，１２どうしが互いに対向する面に適宜幅の突出体１４，１４を突出状に連結してある構造としたものである。
【００１３】
該継手本体１は、帯状部材１ａ，アングルプレートａ，プレートｂ並びに突出体１４のそれぞれを、ＦＲＰ素材によって形成してある。該継手本体１と接続しようとする２本の管体Ｐ，Ｐとの間に介在させる水密用パッキング２は、前記帯状部材１ａと長さ及び幅を略々同じにした発泡シートによって形成してある。
【００１４】
このようにした管継手を使用するに当たっては、先ず、接続しようとする２本の管体Ｐ，Ｐを突き合わせ状に配置し、その外周面に前記発泡シート製の水密用パッキング２を巻き付け、その外周面に上下二つの前記帯状素材１ａ，１ａを配置し、図２にみられるように、それぞれの帯状部材１ａの一端側に延長させた重ね部１５，１５を対向する帯状部材１ａの内側に重なるようにして、それぞれ対向するフランジ１２，１２をボルト穴１３…を介してボルト３とナット４で締め付ける。
【００１５】
このとき、ボルト３とナット４を順次締め付けると、フランジ１２，１２が接近し、対向する二つの前記突出体１４，１４どうしが接当する。この状態から更に締め付けると、この突出体１４，１４どうしの接当面を支点として上下のフランジ１２，１２どうしは、帯状部材１ａ側が近づく方向に順次傾斜し、図１，図２のような状態となり、パッキング２の全周面を圧縮する。
【００１６】
該実施例に示した管継手について、例えば外径が７００ｍｍφの管体Ｐに使用するものについての概略数値を示すと、帯状部材１ａの長さＬ＝１４４２ｍｍ、幅Ｗ＝５６０ｍｍ、肉厚Ｔ＝２ｍｍ、アングルプレートａの高さｈ＝５０ｍｍ、横幅ｗ＝４０ｍｍ、補強プレートと合体したフランジ１２の厚みｔ＝１０ｍｍ、突出体１４の突出幅ｐ＝５ｍｍとする。これで図２に示した締め付け状態のものとすることができた。
【００１７】
図７及び図８に示した第２実施例の継手本体１は、フランジ１２を形成するアングル状部材の全体を一体物として形成し、突出体１４を一方のフランジ１２のみに接着形成した構造としたものである。その他の点は前記第１実施例に準じたものである。
【００１８】
図９及び図１０に示した第３実施例の継手本体１は、帯状部材１ａ、フランジ１２部分及び突出体１４、更には重ね部１５までの全体をＦＲＰ素材によって一体的に形成した構造としたものである。その他の点は前記第１実施例に準じたものである。
【００１９】
以上本発明の代表的と思われる実施例について説明したが、本発明は必ずしもこれらの実施例構造のみに限定されるものではなく、例えば、継手本体１を半割り状のものとすることのみならず、管体に対してＣ字形に巻き付ける長さを備えた単一体として実施することができるものであり、また、大径管用としては、四つ割り状のものとし、管体に対して四方向から当てがって使用する形態のものとして実施することもでき、本発明にいう前記の構成要件を備え、かつ、本発明にいう目的を達成し、以下にいう効果を有する範囲内において適宜改変して実施することができるものである。
【００２０】
【発明の効果】
以上の説明から既に明らかなように、本発明にいう管継手は、管体を締め付ける帯状部材の両端に形成したフランジの構造を、使用時において、その先端部分が対向するフランジとの間で突出体が先行して接当し、それ以上の接近を防止し、この接当部分を支点として以後の締め付け力が帯状部材側に集中的にかかるように構成したものであるから、ボルト・ナットによる締め付け力を管体の全周に亙って及ぼすことができるに至ったので、従来の管継手の取り付けと同様の操作で、水密状態に容易かつ迅速に確実に管体の接続を行うことができるという顕著な効果を有する。
【図面の簡単な説明】
【図１】第１実施例の管継手を示す全体斜視図。
【図２】同管継手の使用状態を示す側面図。
【図３】図２の正面図。
【図４】継手本体の平面図。
【図５】図４の正面図。
【図６】図５の中間省略拡大図。
【図７】第２実施例の管継手を示す図２相当部分の側面図。
【図８】同実施例の図６相当部分の拡大図。
【図９】第３実施例の管継手を示す図２相当部分の側面図。
【図１０】同実施例の図６相当部分の拡大図。
【図１１】従来構造の使用状態を示す側面図。
【図１２】別の従来構造の使用状態を示す側面図。
【符号の説明】
１  継手本体
１ａ  帯状部材
１１  帯状部材の端部
１２  フランジ
１３  ボルト穴
１４  突出体
１５  重ね部
２  パッキング
３  ボルト
４  ナット
ｓ  隙間
【図１】
0003584303.tif 000002
【図２】
0003584303.tif 000003
【図３】
0003584303.tif 000004
【図４】
0003584303.tif 000005
【図５】
0003584303.tif 000006
【図６】
0003584303.tif 000007
【図７】
0003584303.tif 000008
【図８】
0003584303.tif 000009
【図９】
0003584303.tif 000010
【図１０】
0003584303.tif 000011
【図１１】
0003584303.tif 000012
【図１２】
0003584303.tif 000013